(57)【要約】【課題】肩ベルトに対する胸ベルトの付け外しを可能とした安全帯を提供する。【解決手段】装着者の両肩に掛ける一対の肩ベルト２と、装着者の胸側で両肩ベルトを連結する胸ベルト３と、肩ベルトの下端で装着者の両腿に巻き回される一対の腿ベルト４とを備える。胸ベルト３は、肩ベルトに連結される一対のベルト片９と、両ベルト片９を係脱自在に連結するバックル８とを備える。ベルト片９は、バックル８の反対側の端部に環状部１２を備える。肩ベルト２は、ベルト片９を通して所定位置に保持する保持部１４ａを備える。締結部１０は、保持部１４ａにベルト片９を通し、肩ベルト２を介して環状部１２にバックル８側の端部をくぐらせることにより形成されている。【選択図】図１
2020062139.tif 000002
【特許請求の範囲】
【請求項１】
装着者の両肩に夫々掛け回される一対の肩ベルトと、装着者の胸側における両肩ベルトを連結する胸ベルトと、前記肩ベルトの下端に連結されて装着者の両腿に夫々巻き回される一対の腿ベルトとを備え、前記胸ベルトは、夫々の肩ベルトに連結される一対のベルト片と、両ベルト片を係脱自在に連結するバックルとを備える安全帯において、
前記ベルト片は、夫々、前記バックルの反対側の端部に環状部を備えて該環状部によって形成される解除自在の締結部を介して前記肩ベルトに締結されており、
前記締結部は、前記肩ベルトを挟むように折り曲げた前記ベルト片の前記環状部に当該ベルト片の前記バックル側の端部をくぐらせることにより形成されていることを特徴とする安全帯。
【請求項２】
前記肩ベルトは、夫々、前記ベルト片を通して所定位置に保持する貫通孔状の保持部を備え、
前記締結部は、前記保持部に前記ベルト片を通し、該肩ベルトを介して当該ベルト片の前記環状部に当該ベルト片の前記バックル側の端部をくぐらせることにより形成されていることを特徴とする請求項１記載の安全帯。
【請求項３】
前記締結部は、前記肩ベルトに重合させた板状の芯部材を巻き込んだ状態で前記肩ベルトに締結されていることを特徴とする請求項１又は２記載の安全帯。
【請求項４】
前記芯部材は、前記肩ベルトを挿通させることにより該肩ベルトに係止状態とする係止部を備えることを特徴とする請求項３記載の安全帯。
【発明の詳細な説明】
【技術分野】
【０００１】
本発明は、装着者の胸前で肩ベルトを連結する胸ベルトを備えるハーネス型の安全帯に関する。
【背景技術】
【０００２】
従来、高い場所で作業する作業員（装着者）に命綱を付けて装着される所謂ハーネス型の安全帯において、装着者の両肩に夫々掛け回される一対の肩ベルトを連結する胸ベルトを備えるものが知られている（例えば、特許文献１参照）。
【０００３】
この種の安全帯は、両肩ベルトが互いに離反すると、安全帯の装着は容易になるが、安全帯の装着状態が安定しないだけでなく、装着者の肩が肩ベルトから抜け出てしまう場合もあって好ましくない。
【０００４】
そこで、胸ベルトを設けて両肩ベルトが左右に離間することを防止することにより、安定した装着状態を維持すると共に、装着者の肩が肩ベルトから抜け出すことを防止している。また、この種の胸ベルトは係脱自在のバックルが中央部分に設けられている。バックルにより、胸ベルトを中央部分から左右に分割することができるようになっている。胸ベルトを左右に分割することにより、装着時に胸ベルトが邪魔にならず、安全帯を容易に装着することができる。
【先行技術文献】
【特許文献】
【０００５】
【特許文献１】特開平１１−３３３０１１号公報
【発明の概要】
【発明が解決しようとする課題】
【０００６】
ところで、上記従来の安全帯の胸ベルトは、肩ベルトからの取り外しが不能となっている。このため、胸ベルトに汚れや損傷が生じても胸ベルトのみを交換することができない不都合がある。
【０００７】
本発明は、以上の点に鑑み、肩ベルトに対する胸ベルトの付け外しを可能とした安全帯を提供することを目的とする。
【課題を解決するための手段】
【０００８】
かかる目的を達成するために、本発明は、装着者の両肩に夫々掛け回される一対の肩ベルトと、装着者の胸側における両肩ベルトを連結する胸ベルトと、前記肩ベルトの下端に連結されて装着者の両腿に夫々巻き回される一対の腿ベルトとを備え、前記胸ベルトは、夫々の肩ベルトに連結される一対のベルト片と、両ベルト片を係脱自在に連結するバックルとを備える安全帯において、前記ベルト片は、夫々、前記バックルの反対側の端部に環状部を備えて該環状部によって形成される解除自在の締結部を介して前記肩ベルトに締結されており、前記締結部は、前記肩ベルトを挟むように折り曲げた前記ベルト片の前記環状部に当該ベルト片の前記バックル側の端部をくぐらせることにより形成されていることを特徴とする。
【０００９】
本発明によれば、胸ベルトを構成する各ベルト片の端部が締結部によって肩ベルトに解除自在に締結されている。
【００１０】
更に詳しく説明すると、本発明による締結部は、一般に「カウヒッチ」或いは「ひばり結び」と称される結び方で、先ず、環状部を細長に変形させた状態で、肩ベルトの長手方向に直交させて、肩ベルトを幅方向に沿って挟むように折り曲げる。これによって肩ベルトの幅方向の一端部には、環状部の一部とバックル側端部が隣接した状態となる。次いで、環状部にバックル側端部をくぐらせて更にバックル側端部を引っ張ることで、結び目が形成される。
【００１１】
このように形成した締結部は、その締結状態が強固で容易に外れることがく、また結び目を解くことも容易に行える。従って、バックルの連結を解除して胸ベルトを２本のベルト片に分割した後、締結部による締結を解除して各ベルト片を肩ベルトから取り外すことができる。これにより、胸ベルトが汚染した時には安全帯から胸ベルトのみを取り外して洗浄することができる。また、胸ベルトが損傷した場合には胸ベルトのみを損傷していない物に交換することができる。
【００１２】
また、本発明において、前記肩ベルトは、夫々、前記ベルト片を通して所定位置に保持する貫通孔状の保持部を備え、前記締結部は、前記保持部に前記ベルト片を通し、該肩ベルトを介して当該ベルト片の前記環状部に当該ベルト片の前記バックル側の端部をくぐらせることにより形成されていることを特徴とする。
【００１３】
締結部は、肩ベルトに形成されている保持部にベルト片を通した状態で形成されることにより、締結部を容易に位置決めすることができる。
【００１４】
また、本発明において、前記締結部は、前記肩ベルトに重合させた板状の芯部材を巻き込んだ状態で前記肩ベルトに締結されていることが好ましく、更に、前記芯部材は、前記肩ベルトを挿通させることにより該肩ベルトに係止状態とする係止部を備えることが好ましい。
【００１５】
締結部に板状の芯部材を巻き込むことにより、胸ベルトが強く引っ張られて締結部が肩ベルトに強く縛り付けられた状態になっても、肩ベルトの皺付きや捩れが抑えられて肩ベルトの平帯形状が維持されるので、装着者の不快感を軽減することができる。
【００１６】
また、芯部材に係止部を設けて肩ベルトに係止させた状態とすることにより、締結部を解除して胸ベルトのベルト片を肩ベルトから取り外しても、芯部材が肩ベルトから脱落することがない。
【００１７】
よって、安全帯から胸ベルトを取り外したときの芯部材の紛失等を防止することができ、また、肩ベルトに胸ベルトを取り付ける際には、肩ベルトにおける締結部の形成位置を芯部材により明確に示すことができて取り付け作業性を向上させることができる。
【図面の簡単な説明】
【００１８】
【図１】本発明の一実施形態の安全帯を示す説明図。
【図２】本実施形態における胸ベルトを示す説明図。
【図３】胸ベルトの各ベルト片を示す説明図。
【図４】肩ベルトの保持帯を側面視した説明図。
【図５】芯部材を示す説明図。
【図６】芯部材の変形例を示す説明図。
【発明を実施するための形態】
【００１９】
本発明の実施形態を図面に基づいて説明する。図１に示すように、本実施形態の安全帯１は、高所で作業する作業員（装着者）に命綱を付けて装着される所謂ハーネス型のものであり、装着者の両肩に夫々掛け回される一対の肩ベルト２と、装着者の胸側で両肩ベルト２を繋ぐ胸ベルト３と、装着者の両腿に夫々巻き回される一対の腿ベルト４とを備えている。更に、本実施形態においては、装着者の腰に巻き回される腰ベルト５が設けられている。
【００２０】
両肩ベルト２は、平帯で構成されており、背中に位置する環状接続部材６に通してＶ字状に折り返されている。環状接続部材６は図示しないＤ環（アンカーリング）が一体に設けられて８字形状となっている。環状接続部材６にはＤ環を介して命綱が接続される。肩ベルト２は、装着者の前方（胸側）を下方に向かって延び、その下端が、夫々、腿ベルト４に固定されている。
【００２１】
図２に示すように、胸ベルト３は、バックル８により連結された２つのベルト片９により構成され、締結部１０によって肩ベルト２に連結されている。
【００２２】
図２及び図３に示すように、ベルト片９は、肩ベルト２よりも幅の狭い平帯で構成され、一端部にバックル半体１１が取り付けられ、他端部（バックル半体１１の反対側の端部）に環状部１２が形成されている。また、一方のベルト片９には長さ調節用の環部材１３が設けられている。なお、バックル半体１１は形状の異なる２部材（雄部材と雌部材）で構成されている（本実施形態の説明においては便宜上同一符号を付す）。
【００２３】
図４に示すように、肩ベルト２の内側面（装着者に接触する側の面）には、保持帯１４が一体に設けられている。保持帯１４は、挿通部１４ａ（貫通孔状の保持部）を形成している。胸ベルト３の各ベルト片９は、左右夫々の保持帯１４によって形成された挿通部１４ａに挿通されて、各肩ベルト２に締結されている。
【００２４】
ここで、締結部１０について詳しく説明する。締結部１０は、先ず、ベルト片９の環状部１２をベルト片９の長手方向に沿って細長く変形させた状態を維持し、当該ベルト片９を保持帯１４の挿通部１４ａに通す。次いで、ベルト片９を折り曲げて保持帯１４と肩ベルト２とを挟んだ後、環状部１２にバックル半体１１をくぐらせる。
【００２５】
これにより、締結部１０が形成されるが、この結び方は、「カウヒッチ」或いは「ひばり結び」と称されるもので、縫製や留め具を用いることなく胸ベルト３と肩ベルト２とを確実に連結できる。
【００２６】
このとき、図４に示すように、肩ベルト２の二重になっている間にベルト片９を通すことにより、胸ベルト３のベルト片９の露出を少なくして不用意な引っ掛かりを防止することができ、胸ベルト３の損傷等が防止できて安全性も向上する。
【００２７】
そして、胸ベルト３は、バックル８の連結を解除して胸ベルト３を２本のベルト片９に分割した後、締結部１０による締結を解除して各ベルト片９を肩ベルト２から取り外すことで、胸ベルト３が汚染した時には肩ベルト２から胸ベルト３を取り外して洗浄することができる。また、胸ベルト３が損傷した場合にも、胸ベルト３を損傷していない物に交換することができる。
【００２８】
また、締結部１０に位置する保持帯１４には、板状の芯部材１５が設けられている。芯部材１５は、締結部１０に巻き込まれることにより、締結部１０及び肩ベルト２に覆い隠される。図５に示すように、芯部材１５は、ベルト重合部１６と、締結支持部１７と、係止部１８とを備えている。
【００２９】
ベルト重合部１６は、肩ベルト２の保持帯１４に当接重合して、保持帯１４及び肩ベルト２の皺付きや捩れ等を防止して、平帯形状を維持させる。締結支持部１７は、締結部１０における肩ベルト２（保持帯１４）からはみ出た部分の形状を維持する部分であり、締結部１０の締結形状（略台形状）に対応する形状とされている。係止部１８は、保持帯１４を挿通させて係止状態とするもので、締結支持部１７の両側に設けられている。係止部１８によって保持帯１４に係止されて保持状態となった芯部材１５は、保持帯１４（肩ベルト２）からの脱落が防止される。
【００３０】
締結部１０に板状の芯部材１５を巻き込むことにより、胸ベルト３が強く引っ張られ、肩ベルト２が締結部１０によって強く縛り付けられた状態になっても、肩ベルト２の皺付きや捩れが抑えられて肩ベルト２の平帯形状が維持されるので、装着者の不快感を軽減することができる。
【００３１】
また、芯部材１５は係止部１８を備えて肩ベルト２に係止させた状態となることにより、締結部１０を解除して胸ベルト３のベルト片９を肩ベルト２から取り外しても、芯部材１５が肩ベルト２に取り付けられた状態が維持される。これにより、肩ベルト２から胸ベルト３を取り外したときに、芯部材１５を紛失することを防止することができる。しかも、肩ベルト２に胸ベルト３を取り付ける際には、肩ベルト２における締結部１０の形成位置を芯部材１５により明確に示すことができて取り付け作業性も向上する。
【００３２】
なお、図５に示す構成の芯部材１５に限るものではなく、例えば、図６に示す構成の芯部材１９を採用することもできる。この芯部材１９は、係止部２０がベルト重合部２１の中央部に形成されている。ベルト重合部２１には、締結部１０の形状を維持する締結支持部２２が連設されている。
【００３３】
係止部２０は、孔部２０ａの中央部に舌片２０ｂを備え、片側から保持帯１４（肩ベルト２）を差し込んで係止状態とすることができる。これによれば、保持帯１４（肩ベルト２）への芯部材１９の取付け作業が容易となる。
【００３４】
なお、本実施形態においては、肩ベルト２が保持帯１４を備え、保持帯１４が挿通部１４ａ（貫通孔状の保持部）を形成することにより、挿通部１４ａにベルト片９を通して締結部１０を形成するものを示したが、これに限るものではない。
【００３５】
図示しないが、例えば、肩ベルト２に保持帯１４を設けずに、肩ベルト２に芯部材１５（又は１９）を直接取り付けてもよい。この場合には、肩ベルト２に胸ベルト３を連結した状態で、芯部材１５（又は１９）及び締結部１０を肩ベルト２に沿って上下に摺動させることができ、胸ベルト３の上下位置調節が容易に行える利点がある。
【符号の説明】
【００３６】
１…安全帯、２…肩ベルト、３…胸ベルト、４…腿ベルト、８…バックル、９…ベルト片、１２…環状部、１０…締結部、１４ａ…挿通部（保持部）、１５，１９…芯部材、１８，２０…係止部。
【図１】
2020062139.tif 000003
【図２】
2020062139.tif 000004
【図３】
2020062139.tif 000005
【図４】
2020062139.tif 000006
【図５】
2020062139.tif 000007
【図６】
2020062139.tif 000008